(57)【要約】      （修正有）【課題】紙類、特にはペーパータオルの取り出しやすさの更なる向上を実現できる収容ケースを提供する。【解決手段】蓋２００と、該蓋が上下移動可能に収容される容器３００とを備え、該蓋が、蓋本体部２１０と、該蓋本体部に設けられた取り出し口２４０とを有し、該蓋本体部が第１方向と、該第１方向に対して略垂直である第２方向とを有し、該取り出し口が、該第１方向に延在する、収容ケースを提供する。【選択図】図１
0003233481.tif 000002
【実用新案登録請求の範囲】
【請求項１】
蓋と、該蓋が上下移動可能に収容される容器とを備え、
該蓋が、蓋本体部と、該蓋本体部に設けられた取り出し口とを有し、
該蓋本体部が第１方向と、該第１方向に対して略垂直である第２方向とを有し、
該取り出し口が、該第１方向に延在する、収容ケース。
【請求項２】
前記取り出し口の略中心部の前記第２方向の長さが、前記取り出し口の端部の前記第２方向の長さよりも大きい、請求項１に記載の収容ケース。
【考案の詳細な説明】
【技術分野】
【０００１】
本考案は、収容ケースに関する。
【背景技術】
【０００２】
従来から、ジグザグ状に折り畳まれた紙類、例えば、ペーパータオル、ティシュペーパー、キッチンペーパー、トイレットペーパー等を収容する収容ケースが知られている（例えば、特許文献１を参照。）。そして、その収容ケースにおいては、ユーザが、取り出し口から当該紙類を手でつまんで引き出すことができる。
【先行技術文献】
【特許文献】
【０００３】
【特許文献１】実用新案登録第３２２１４０７号
【考案の概要】
【考案が解決しようとする課題】
【０００４】
しかしながら、特許文献１で提案された技術では、紙類、特にはペーパータオルの取り出しやすさの更なる向上が図れないおそれがある。
【０００５】
そこで、本考案は、このような状況を鑑みてなされたものであり、紙類、特にはペーパータオルの取り出しやすさの更なる向上を実現できる収容ケースを提供することを主目的とする。
【課題を解決するための手段】
【０００６】
本考案者は、上述の目的を解決するために鋭意研究を行った結果、驚くべきことに、紙類、特にはペーパータオルの取り出しやすさの更なる向上を実現できることに成功し、本考案を完成するに至った。
【０００７】
すなわち、本考案では、
蓋と、該蓋が上下移動可能に収容される容器とを備え、
該蓋が、蓋本体部と、該蓋本体部に設けられた取り出し口とを有し、
該蓋本体部が第１方向と、該第１方向に対して略垂直である第２方向とを有し、
該取り出し口が、該第１方向に延在する、収容ケースを提供する。
【０００８】
本考案に係る収容ケースにおいて、
前記取り出し口の略中心部の前記第２方向の長さが、前記取り出し口の端部の前記第２方向の長さよりも大きくてもよい。
【考案の効果】
【０００９】
本考案によれば、紙類、特にはペーパータオルの取り出しやすさの更なる向上が実現され得る。
【００１０】
また、本考案によれば、蓋が、ユーザにより容器内部に下されるとき、又は、蓋が自重で下がっていくときに容器壁に沿って、蓋を水平に保ちながら移動させることができる。
【００１１】
さらに、本考案によれば、紙類、特にはペーパータオルが袋ごとケースに入れられる場合、蓋が袋を押さえるので紙類、特にはペーパータオルを引き上げるときに袋が移動しにくい。
【００１２】
そのため、紙類、特にはペーパータオルだけを取り出すことができるので、袋がくしゃくしゃになるような事態を避けることができる。
【図面の簡単な説明】
【００１３】
【図１】図１は、本考案に係る収容ケース（ペーパータオルケース）の斜視図である。
【図２】図２は、本考案に係る収容ケース（ペーパータオルケース）の展開斜視図である。
【図３】図３は、本考案に係る収容ケース（ペーパータオルケース）の蓋の（ａ）平面図、（ｂ）底面図（ｃ）正面図、（ｄ）側面図、（ｅ）上記（ａ）の中央断面図である。
【図４】図４は、本考案に係る収容ケース（ペーパータオルケース）の容器の（ａ）平面図、（ｂ）底面図（ｃ）正面図、（ｄ）側面図、（ｅ）上記（ａ）の中央断面図である。
【図５】図５は、本考案に係る収容ケース（ペーパータオルケース）の中央断面図であり、（ａ）紙（ペーパータオル）が多いとき、（ｂ）紙（ペーパータオル）が残り少なくなったときを示している。
【考案を実施するための形態】
【００１４】
本考案に係る収容ケースについて、図１〜図５を用いて説明する。
【００１５】
図１及び図２に示すように、ペーパータオルケース１００は、上方が開放された四角い容器３００の中に折り畳まれた紙（ペーパータオル）Ｐが収容され、取り出し口２４０付きの蓋２００がその紙（ペーパータオル）の上に乗せられている。紙（ペーパータオル）が少なくなると蓋２００は自重により降下していき、それにより紙（ペーパータオル）Ｐが勝手に動かないようになっている。紙（ペーパータオル）Ｐは購入時のプラスチック袋Ｂごとケースに入れられる場合と、袋Ｂから紙（ペーパータオル）だけを取り出して入れられる場合がある。図２では袋ごとケースに入れている。
【００１６】
本考案は蓋２００に主要な技術的な特徴がある。図２の斜視図及び図３の各図を参照して説明する。
【００１７】
蓋２００は容器３００の壁に縁部がスライドしながら下降する蓋本体部２１０を有する。蓋本体部２１０の面積は容器３００の底面内法（壁内側）面積にほぼ等しい。
【００１８】
蓋本体部２１の中央部において、蓋２００の長手方向（第１方向）の全長にわたって隆起部２２０が設けられている。隆起部２２０には、長手方向（第１方向）に延在するように、紙類の取り出し口２４０となる開口部が設けられている。取り出し口２４０の略中心部２４０−１の長手方向（第１方向）に対して略垂直である短手方向（第２方向）の長さが、取り出し口２４の端部（略中心部２４０−１の左方向端部又は右方向の端部）の短手方向（第２方向）の長さよりも大きい。取り出し口２４０の略中心部２４０−１は、ユーザの手（指）で紙（ペーパータオル）をつまみ上げる部分である。
【００１９】
このような蓋２００は、プラスチックで形成するのが最も簡単で経済的である。蓋２００を構成するプラスチックは、紙（ペーパータオル）をつまんで取り出す時に目視できるように、透明であるプラスチックが好ましい。なお、高級感を出したいときなどは、蓋２００は、木製や金属製であってもよい。
【００２０】
本考案で使用する容器３００は、図４に示されるように、従来のものと同じである。上部が開放され、容器底部３２０から容器壁３１０が立ち上がった直方体状の箱である。材質はプラスチックであることが普通である。紙（ペーパータオル）Ｐの残量が分かるように透明とすることができる。
【００２１】
本実施例のペーパータオルケースの使用法は従来のものと同じである。
【００２２】
すなわち、いったん蓋２００を収容ケース１００から取り出す。別売りの紙（ペーパータオル）Ｐを袋Ｂごと又は紙（ペーパータオル）Pだけにして、容器３００に入れる（図２参照）。続いて、蓋２００を載せ、最上部１枚目のペーパータオルの端を蓋の取り出し口２４０から引き上げる（図５（ａ）参照）。以後、必要なときに必要な分量だけ紙（ペーパータオル）Ｐをユーザの手（指）で引き上げて使用する。紙（ペーパータオル）がなくなれば同じ要領で紙（ペーパータオル）Ｐを補充する。
【符号の説明】
【００２３】
１００・・・収容ケース（ペーパータオルケース）、
２００・・・蓋、
２１０・・・蓋本体部、
２２０・・・隆起部、
２４０・・・取り出し口、
２４０−１・・・取り出し口の略中心部、
３００・・・ 容器、
３１０・・・容器壁、
３２０・・・容器底部、
Ｂ     袋、
Ｐ     ペーパータオル。
【図１】
0003233481.tif 000003
【図２】
0003233481.tif 000004
【図３】
0003233481.tif 000005
【図４】
0003233481.tif 000006
【図５】
0003233481.tif 000007